(57)【要約】【課題】入賞口へ誘導される遊技球の減速の度合いを変更して遊技球の入賞の頻度を増減させる。【解決手段】始動入賞口２は、盤面上に突設されて遊技球の入賞を許容する。案内部材６４は、盤面のうち始動入賞口２の左右の少なくとも一側に配置され、始動入賞口２に向かって傾斜し遊技球を始動入賞口２に向かって案内する案内面６４を有し、案内面６４が略直線状に延びる張設状態と案内面６４が下方へ撓む弛緩状態とに形状変更自在である。固定釘６２は遊技盤に固定され、案内部材６４の上端を支持する。可動釘６３は、案内部材６１の下端を支持する。ソレノイド６９は、可動釘６３を盤面上で横方向へ移動させて、案内部材６４を張設状態と弛緩状態とに選択的に設定する。【選択図】図７
2008200290.tif 000002
【特許請求の範囲】
【請求項１】
遊技盤の盤面上を遊技球が落下する弾球遊技機であって、
前記盤面上に突設されて遊技球の入賞を許容する入賞口と、
前記盤面のうち前記入賞口の左右の少なくとも一側に配置され、該入賞口に向かって傾斜し遊技球を該入賞口に向かって案内する案内面を有し、該案内面が略直線状に延びる張設状態と該案内面が下方へ撓む弛緩状態とに形状変更自在な案内部材と、
前記案内部材の所定の２箇所を前記盤面に対してそれぞれ支持する２つの支持部材と、
前記２つの支持部材の少なくとも一方を前記盤面上で横方向へ移動させて、前記案内部材を前記張設状態と前記弛緩状態とに選択的に設定する駆動手段と、を備えた
ことを特徴とする弾球遊技機。
【請求項２】
請求項１に記載の弾球遊技機であって、
前記２つの支持部材の一方は、前記案内部材の一端部を前記盤面に対して固定し、
前記２つの支持部材の他方は、前記案内部材の他端部を前記盤面に沿って移動自在に支持し、
前記駆動手段は、前記他方の支持部材を前記盤面上で横方向へ移動させて、前記案内部材を前記張設状態と前記弛緩状態とに選択的に設定する
ことを特徴とする弾球遊技機。
【請求項３】
請求項１又は請求項２に記載の弾球遊技機であって、
前記案内部材は、織布又は不織布によって構成されている
ことを特徴とする弾球遊技機。
【請求項４】
請求項１又は請求項２に記載の弾球遊技機であって、
前記案内部材は、端部同士が回転自在に連結された複数の板状部材によって構成されている
ことを特徴とする弾球遊技機。
【請求項５】
請求項１〜請求項４の何れかに記載の弾球遊技機であって、
前記案内部材は、前記案内面上から遊技球が挿通して落下することを許容する落下孔を有する
ことを特徴とする弾球遊技機。
【発明の詳細な説明】
【技術分野】
【０００１】
本発明は、弾球遊技機に関する。
【背景技術】
【０００２】
一般に、パチンコ遊技機等の弾球遊技機では、遊技盤の遊技領域に発射された遊技球が特定入賞口（始動入賞口）へ入賞するのに応じて、電子的な当否抽選が実行される。当否抽選の結果当選した場合には、表示装置に所定の特別図柄の組み合わせが表示され、遊技者にとって有利な大当たり遊技状態が生起される。大当たり遊技状態では、特別入賞口（大入賞口）が開閉し、この大入賞口への遊技球の入賞によって遊技者に対して賞球が払い出される。すなわち、始動入賞口への遊技球の入賞は、大当たり遊技状態を生起させる当否抽選の開始条件となるため、始動入賞口への入賞の頻度に応じて当否抽選の実行の頻度が決まる。また、表示装置は、遊技領域のほぼ中央に配置され、始動入賞口は表示装置の下方の左右方向のほぼ中央に配置されている。
【０００３】
ところで、最近の弾球遊技機では、表示装置が大型化する傾向にあり、表示装置の大型化は、表示装置の側方の遊技領域を狭め、表示装置の側方から始動入賞口までの距離を増大させる。このため、表示装置の側方の遊技領域には、遊技釘が前面から視て始動入賞口に向かって下方へ傾斜する線上に多数の遊技釘が並設されている。これら多数の遊技釘は球流下誘導路を形成し、この球流下誘導路によって表示装置の側方を落下する遊技球が始動入賞口へ誘導される。
【０００４】
【特許文献１】特開２００３−８２９号公報
【発明の開示】
【発明が解決しようとする課題】
【０００５】
しかし、上述のように表示装置の側方から始動入賞口までの距離が増大すると、上記球流下誘導路も増長し、球流下誘導路を移動する遊技球の速度が増加する。このため、始動入賞口へ遊技球が入賞し難くなり、当否抽選の実行の頻度が低下し、遊技に対する遊技者の興味を著しく低下させてしまう可能性が生じる。
【０００６】
本発明は、上記課題を解決するためになされたものであり、その目的は、入賞口へ誘導される遊技球の減速の度合いを変更して遊技球の入賞の頻度を増減させることが可能な弾球遊技機を提供することにある。
【課題を解決するための手段】
【０００７】
上記目的を達成するため、本発明は、遊技盤の盤面上を遊技球が落下する弾球遊技機であって、入賞口と遊技状態生起手段と案内部材と２つの支持部材と駆動手段とを備える。
【０００８】
入賞口は、盤面上に突設されて遊技球の入賞を許容する。入賞口への遊技球の入賞を契機として電子的な乱数抽選又は遊技球の機械的な振分け抽選等が実行され、該抽選の結果に応じて遊技者に有利な遊技状態が生起されてもよい。又は、上記抽選が実行されることなく、入賞口への遊技球の入賞に応じて賞球が払い出されてもよい。案内部材は、盤面のうち入賞口の左右の少なくとも一側に配置され、該入賞口に向かって傾斜し遊技球を該入賞口に向かって案内する案内面を有し、該案内面が略直線状に延びる張設状態と該案内面が下方へ撓む弛緩状態とに形状変更自在である。２つの支持部材は、案内部材の所定の２箇所を盤面に対してそれぞれ支持する。駆動手段は、２つの支持部材の少なくとも一方を盤面上で横方向へ移動させて、案内部材を張設状態と弛緩状態とに選択的に設定する。
【０００９】
上記構成では、駆動手段が案内部材を張設状態に設定すると、案内部材の案内面が入賞口に向かって略直線状に傾斜して延びる。一方、駆動手段が案内部材を弛緩状態に設定すると、案内部材の案内面が入賞口に向かって下方へ撓んだ状態で傾斜して延びる。
【００１０】
張設状態と弛緩状態とでは、案内面上を転動する遊技球の速度の減速の度合いが自ずと相違し、弛緩状態では、張設状態よりも遊技球が効果的に減速される。すなわち、表示装置の側方から始動入賞口までの距離が増大した場合であっても、入賞口へ誘導される遊技球の減速の度合いを変更することによって入賞口への遊技球の入賞の頻度を適宜増減させることができ、遊技性の多様化を図ることができる。
【００１１】
また、２つの支持部材の一方は、案内部材の一端部を盤面に対して固定し、２つの支持部材の他方は、案内部材の他端部を前記盤面に沿って移動自在に支持してもよい。この場合、駆動手段は、他方の支持部材を盤面上で横方向へ移動させて、案内部材を張設状態と弛緩状態とに選択的に設定する。
【００１２】
上記構成では、２つの支持部材のうち上記他方の支持部材のみを移動させることによって案内部材を張設状態と弛緩状態とに選択的に設定することができるので、構造及び制御の簡素化を図ることができる。
【００１３】
また、案内部材を、織布又は不織布によって構成してもよい。
【００１４】
上記構成では、遊技球を案内する部材として一般的に使用されていない織布又は不織布によって遊技球が案内されるので、今までにない斬新な挙動を遊技球に与えることができる。
【００１５】
また、案内部材を、端部同士が回転自在に連結された複数の板状部材によって構成してもよい。
【００１６】
上記構成では、案内部材を複数の板状部材によって構成しているので、張設状態と弛緩状態との繰り返しに伴って案内部材が使用開始時の初期長さから伸張することを抑えることができる。従って、繰り返し回数の多少によらず一定の張設状態及び弛緩状態を得ることができる。
【００１７】
また、案内部材は、案内面上から遊技球が挿通して落下することを許容する落下孔を有してもよい。
【００１８】
上記構成では、始動入賞口へ誘導される遊技球の減速の度合いの変更に加え、落下孔からの遊技球の落下の有無によっても始動入賞口への遊技球の入賞の頻度が相違するので、遊技性をさらに多様化させることができる。
【発明の効果】
【００１９】
本発明によれば、始動入賞口へ誘導される遊技球の減速の度合いを変更して入賞口への遊技球の入賞の頻度を増減させることができる。
【発明を実施するための最良の形態】
【００２０】
以下、図面を参照して、遊技機設置営業店等の場所に設置され、遊技球の供給に基づいて遊技者に遊技を行わせる第１実施形態の弾球遊技機の構成及び動作について説明する。
【００２１】
なお、本実施形態では、図１に示すような、現金等の対価を支払って遊技機設置営業店から遊技者が購入したプリペイドカードをプリペイドカードユニット（以下、ＣＲユニットと称す）１に読み込ませることにより、遊技に使用する遊技球を借り受ける形態下で遊技者が遊技する弾球遊技機の構成及び動作について説明する。より具体的には、この弾球遊技機は、図３に示すように、借り受けた遊技球が予め定められた特定入賞口（スタートチャッカー、始動入賞口）２に受け入れられ入賞状態になった時に電子的な当否抽選を行い、抽選の結果が当選の場合には、通常の遊技状態から遊技者にとって有利な遊技状態となるように、特別入賞口（大入賞口）３を遊技球が入賞し易い状態にする弾球遊技機（以下、遊技機と称す）である。
【００２２】
［遊技機の構造概略］
本実施形態の遊技機は、外部的構造として、外枠（木枠）４、本体部材（本体）５、開口枠扉６、遊技盤７、球受皿付き扉８、球受皿９、回動式操作ハンドル（球発射ハンドル）１０、球貸し関係操作部１１、及び球受皿９用の貯留球排出操作ボタン１２等をその前面側に備えている。また、この遊技機は、内部的構造として、主制御装置１３、副制御装置１４、払出制御装置５２、遊技球払出装置１５、球貸信号制御装置１６、可動物駆動装置１７、回収通路部材１８、貯留タンク１９、遊技球を払い出すときに用いる通路部材（賞球口）２０、及びその他、電源供給装置２１、発射制御装置２２、発射駆動装置２３等をその後面側に備えている。
【００２３】
以下、図１〜図７を参照して、本実施形態の遊技機の構成を、外部的構造、内部的構造、遊技領域の構成、及び電気的構成の順に詳しく説明する。
【００２４】
〔外部的構造〕
始めに、本実施形態の遊技機の外部的構造について説明する。
【００２５】
前記外枠４は、遊技機設置営業店に設けられた設置場所（島設備等）へと固定させるための縦長方形状から成る木製の枠部材である。
【００２６】
前記本体部材５は、外枠４の内部に備えられ、ヒンジ部２６を介して外枠４に回動自在に装着された縦長方形状の遊技機基軸体となる部材である。また、本体部材５は、枠状に形成され、内側に空間部を有している。
【００２７】
前記開口枠扉６は、ロック機能２５付きで且つ開閉自在となるように遊技機の前面側となる本体部材５の前面に対しヒンジ部２６を介して装着され、枠状に構成されることでその内側を開口部２７とした扉部材である。なお、この開口枠扉６には、開口部２７に対向してガラス製又は樹脂製の透明板部材２８が設けられ、さらに、開口部２７近傍には、電飾２９やスピーカ３０が取り付けられている。
【００２８】
前記遊技盤７は、その盤面に遊技領域３１を有し、本体部材５の空間部に臨むように、所定の固定部材を用いて本体部材５に着脱自在に装着されている。なお、遊技領域３１は、遊技盤７を本体部材５に装着した後、開口部２７から観察することができる。
【００２９】
前記球受皿付き扉８は、遊技機前面において本体部材５の下側に対して、ロック機能付きで且つ開閉自在となるように装着された扉部材である。なお、本実施形態では、球受皿付き扉８には以下の部材が取り付けられている。
（１）複数の遊技球が貯留可能で且つ、発射駆動装置２３へと遊技球を案内させる通路が設けられた球受皿９。
（２）発射駆動装置２３へと案内された遊技球を遊技盤７の盤面に設けられた遊技領域３１へと打ち出す操作を行う、遊技球の発射停止ボタン１０ａを備えた回動式操作ハンドル１０。
（３）プリペイドカード読み込み処理関係、及び遊技者が借り受ける遊技球（以下、貸球と称す）の貸し出し処理関係の指示を行うボタンを備えた球貸し関係操作部１１。
（４）球受皿９に貯留させた遊技球を遊技者が遊技球収集容器（俗称、ドル箱）へと排出させるための球受皿９用の貯留球排出操作ボタン１２。
【００３０】
〔内部的構造〕
次に、本実施形態の遊技機の内部的構造について説明する。
【００３１】
前記主制御装置１３は、本発明の制御手段として機能し、本体部材５若しくは遊技盤７又はこれらに備え付けられる支持部材等を介して設けられている。この主制御装置１３は、電気的な遊技制御の処理を行い、主要な処理情報を生成する。
【００３２】
前記副制御装置１４及び払出制御装置５２は、本体部材５若しくは遊技盤７又はこれらに備え付けられる支持部材等を介して設けられ、主制御装置１３が生成した処理情報に従って、所定の出力態様処理を実行させる制御を行う装置である。なお、詳しくは後述するが、副制御装置１４は、図柄制御装置１４ａ、ランプ制御装置１４ｂ、音声制御装置１４ｃを有する。
【００３３】
前記遊技球払出装置１５は、予め定められた入賞条件が成立するのに応じて遊技利益として所定数の遊技球を払出す（以下、賞球と称す）駆動源を備えた装置である。
【００３４】
前記球貸信号制御装置１６は、プリペイドカード読み込み処理関係、及び貸球の貸し出し処理関係の制御を行う装置である。
【００３５】
前記可動物駆動装置１７は、主制御装置１３が生成した処理情報に従って、遊技領域３１内に配設された複数の可動物（例えば、可動片４４、可動扉４５、案内部材６１の可動釘６３、入賞領域振分物、演出用移動物等）を作動させるための装置であり、複数の可動物に対応して個別に設けられている。なお、本実施形態の可動物駆動装置１７は、可動片４４を駆動する可動片駆動装置、可動扉４５を開閉駆動する可動扉駆動装置、案内部材６１の可動釘６３を前方（遊技者側）から視て遊技盤７の盤面に沿って横方向に移動させる案内部材駆動装置６５、入賞領域振分駆動装置、及び演出用移動物駆動装置を有する。可動物駆動装置１７の可動扉駆動装置は、前記主制御装置１３とともに本発明の遊技状態生起手段を構成する。ソレノイド６９を有する案内部材駆動装置６５は、本発明の駆動手段を構成し、ソレノイド６９は遊技盤７の裏面側に固定されている。
【００３６】
前記回収通路部材１８は、回動式操作ハンドル１０によって遊技盤７の盤面に設けられた遊技領域３１へと打ち出された遊技球を遊技盤７の裏側へと回収する通路（俗称、集合樋）となる部材である。
【００３７】
前記遊技球を払い出す時に用いる通路部材２０は、球受皿９に賞球又は貸球を案内する通路となる部材である。
【００３８】
前記電源供給装置２１は、電源が投入されるのに応じて遊技機内の各制御装置に対して電力を供給する装置である。
【００３９】
前記発射制御装置２２は、回動式操作ハンドル１０を介して遊技球を遊技領域３１へと打ち出す操作が行われた時に、発射作動間隔（例えば、１分間に遊技球を１００球発射させるようにする等）の制御と、回動式操作ハンドル１０の回動量に応じた遊技球の発射強度の調整を行う装置である。
【００４０】
前記発射駆動装置２３は、発射制御装置２２による打ち出し制御に応じて、遊技球の打ち出し駆動部を作動させ、遊技球を遊技領域３１へと打ち出す装置である。
【００４１】
〔遊技領域の構成〕
次に、本実施形態の遊技機の遊技領域３１の構成について説明する。
【００４２】
前記遊技領域３１は、遊技球を滑走させるガイドレール３２と遊技球規制レール３３によって略円形状となるように区画形成され、回動式操作ハンドル１０によって打ち出された遊技球の移動範囲を規制する領域である。なお、遊技球規制レール３３は前記ガイドレール３２に連続的に接続するように構成され、ガイドレール３２と遊技球規制レール３３は全体として螺旋をなして遊技盤７の盤面に配設されている。
【００４３】
また、遊技領域３１内には、可変表示装置（特別図柄表示装置）３４、ＬＥＤ（Light Emitting Diode）表示装置３５、ステージ３６、所定入賞口（一般入賞口）３７、所定通過口（スルーチャッカー）３８，４６、アウト口３９、遊技釘７１（一部のみ図示）、風車４０、球流下誘導装置６０の案内部材６１、特定保留数表示ランプ４１、通過保留数表示ランプ４２、演出用表示ランプ４３等が設けられている。
【００４４】
前記可変表示装置３４は、予め定められた条件が成立（始動入賞口２への遊技球の入賞）するのに応じて実行される電子的な当否抽選の結果に従って、識別情報としての識別表示情報（例えば、図柄、キャラクタ、背景画像等）を可変表示させた後に停止表示する表示制御装置である。
【００４５】
前記ＬＥＤ表示装置３５は、遊技者への様々な情報をＬＥＤにより表示する装置であり、例えば、予め定められた条件が成立（例えば、予め定められた通過口への遊技球の通過等）するのに応じて実行される電子的な当否抽選の結果に従って、識別情報としての識別点灯情報をＬＥＤにより可変表示させた後に停止表示する。
【００４６】
前記ステージ３６は、可変表示装置３４の下方において遊技球を一時的に滞在状態とし、その後、遊技球の落下を許容する踊り場部を備えた構造物である。
【００４７】
前記所定入賞口３７は、遊技領域３１内における適宜な位置に複数設けられ、落下してくる遊技球を受け入れる開口部を備えた構造物である。なお、始動入賞口２及び特別入賞口３もこの所定入賞口３７に含まれる。
【００４８】
ここで、前記始動入賞口２とは、遊技盤７の盤面から突出して入賞口の開口範囲の拡縮を行わせる電動式の一対の可動片４４と、可動片４４の上方に配置され遊技球を可動片４４の間へ誘導する案内枠７０と、を備え、遊技球が入賞口に入賞するのに応じて、可変表示装置３４に識別表示情報を可変表示させると共に、遊技者に賞球を獲得させる入賞口である。可変表示装置３４は、遊技領域３１のほぼ中央に配置され、始動入賞口２は可変表示装置３４の下方の左右方向（遊技盤７の幅方向）のほぼ中央に配置されている。また、前記特別入賞口３とは、複数の入賞口のいずれかであって、入賞口を露出させる開口状態と入賞口を閉鎖する閉口状態を生成する電動式の可動扉４５を備え、遊技球が入賞口に入賞するのに応じて、他の入賞口と比較して多くの賞球を遊技者に獲得させる入賞口である。なお、以下では、始動入賞口２及び特別入賞口３以外の複数の所定入賞口３７をその他入賞口３７と称する。
【００４９】
前記所定通過口３８，４６は、遊技領域３１内における適宜な位置に所定数設けられ、落下してくる遊技球を通過させるゲートを備えた構造物である。
【００５０】
前記アウト口３９は、所定入賞口３７のいずれにも入ることがなかった遊技球を集束する位置に設けられた遊技球の回収開口部である。
【００５１】
前記遊技釘７１は、遊技球と接触させることにより遊技球の移動方向を不規則にする、若しくは遊技球の移動方向を規制するために、遊技盤７の盤面の適宜な位置に打ち込まれる複数の棒状部材である。
【００５２】
前記風車４０は、遊技球の接触によって自転可能な回転部材である。
【００５３】
前記球流下誘導装置６０は、前記案内部材駆動装置６５と前記案内部材６１と固定釘（一方の支持部材）６２と前記可動釘（他方の支持部材）６３とを備え、遊技領域３１のうち前方から視て始動入賞口２の左側上方に配置されている。なお、球流下誘導装置６０は、始動入賞口２の右側に配置してもよく、また左右の両方に配置してもよい。
【００５４】
案内部材６１は、後述する張設状態と弛緩状態とに形状変更自在な帯状の織布又は不織布である。案内部材６１の上面は、始動入賞口２に向かって傾斜し遊技球を始動入賞口２に向かって案内する案内面６４を構成し、案内部材６１の一端（上端）と他端（下端）とには、案内部材６１の両端部を固定釘６２及び可動釘６３によって固定的に支持するための釘挿通孔６６，６７がそれぞれ形成されている。
【００５５】
固定釘６２は、案内部材６１の上端の釘挿通孔６６を挿通した状態で、遊技盤７の盤面に打ち込まれる棒状部材である。また、可動釘６３は、固定釘６２の斜め右下方に配置され、案内部材６１の下端の釘挿通孔６７を挿通した状態で、遊技盤７の盤面に形成された長孔６８を挿通する棒状部材である。長孔６８を挿通して盤面の裏側に突出する可動釘６３の先端は、案内部材駆動装置６５を構成するソレノイド６９に連結されている。すなわち、案内部材６１の上端は、固定釘６２によって盤面に対して固定され、案内部材６１の下端は、可動釘６３によって盤面に沿って移動自在に支持されている。なお、固定釘６２や可動釘６３の前端は、釘挿通孔６６，６７から露出してもよく、また釘挿通孔６６，６７内に収容されていてもよい。可動釘６３の前端が釘挿通孔６６，６７内に収容されている場合、可動釘６３の前端が露出している場合と比較して可動釘６３にピアノ線等の不正治具を係止させ難くなる。このため、不正治具を用いて可動釘６３を強制的に移動させる不正行為が行われ難くなり、好適である。
【００５６】
ソレノイド６９は、可動釘６３を長孔６８に沿って移動させ、案内部材６１を張設状態（図７中二点鎖線で示す）と弛緩状態（図７中実線で示す）とに選択的に設定する。張設状態では、案内部材６１の案内面６４が始動入賞口２に向かって斜め下方へ略直線状に延びる。また、弛緩状態では、可動釘６３が張設状態よりも固定釘６２側へ移動して、案内面６４が下方へ撓む。ソレノイド６９は、通常の遊技状態では案内部材６１を張設状態に設定し、所定の条件が成立したときに案内部材６１を適宜弛緩状態に設定する。
【００５７】
ソレノイド６９によって案内部材６１が張設状態に設定されると、案内部材６１の案内面６４が略直線状に傾斜して延びるので、案内面６４上に落下した遊技球は、その勢いが案内部材６１によって充分に吸収されず、比較的勢いよく始動入賞口２へ向かって転動または弾動する。このため、遊技球が始動入賞口２（案内枠７０）へ比較的入賞し難い状態となる。
【００５８】
一方、ソレノイド６９によって案内部材６１が弛緩状態に設定されると、案内部材６１の案内面６４が下方に撓むので、案内面６４上に落下した遊技球は、その勢いが案内部材６１によって適度に吸収され、張設状態よりも効果的に減速されて始動入賞口２へ向かって転動する。このため、遊技球が始動入賞口２（案内枠７０）へ比較的入賞し易い状態となる。
【００５９】
なお、案内部材６１の上端を可動釘６３によって支持し、下端を固定釘６２によって支持してもよい。また、案内部材６１の中間部を固定釘６２によって支持し、上下端の２箇所をそれぞれ可動釘６３によって支持してもよい。さらに、案内部材６１の中間部と上下端の一方をそれぞれ固定釘６２によって支持し、上下端の他方を可動釘６３によって支持してもよい。また、ソレノイド６９に代えてモータなどの他の駆動手段を設け、段階的に弛緩状態を調節するようにしてもよい。
【００６０】
前記特定保留数表示ランプ４１は、前記始動入賞口２への入賞後の可変表示開始に係る保留状態を点灯又は消灯により報知する発光装置である。
【００６１】
前記通過保留数表示ランプ４２は、前記所定通過口３８への通過達成後の可変表示開始に係る保留状態を点灯又は消灯により報知する発光装置である。
【００６２】
前記演出用表示ランプ４３は、電源投入後の遊技状態の変化に応じて多彩な点灯態様とする発光装置である。
【００６３】
〔電気的構成〕
次に、本実施形態の遊技機の電気的構成について説明する。
【００６４】
本実施形態となる遊技機は、電気的構成として、ＣＲユニット１、主制御装置１３、副制御装置１４、払出制御装置５２、球貸信号制御装置１６、可動物駆動装置１７、電源供給装置２１、発射制御装置２２、発射駆動装置２３、検知センサ４７、集中管理装置４８等を備える。なお、ＣＲユニット１、球貸信号制御装置１６、可動物駆動装置１７、電源供給装置２１、発射制御装置２２、及び発射駆動装置２３の構成は上述の通りであるので、以下ではその説明を省略する。
【００６５】
前記主制御装置１３は、ＣＰＵ（Central Processing Unit：中央命令処理部）１３ａ、予め定められた制御プログラム（コンピュータプログラム）を格納するＲＯＭ（Read Only Memory：書換不可記憶部）１３ｂ、生成された処理情報の一時記憶及び記憶した情報の削除を行うＲＡＭ（Random Access Memory：書換可能記憶部）１３ｃ、周期的な信号を発生させる周波数発生回路部１３ｄ等により構成され、遊技機内における主要な情報処理を行うと共に、副制御装置１４に入力する処理情報を生成する装置である。
【００６６】
前記副制御装置１４は、図柄制御装置１４ａ、ランプ制御装置１４ｂ、及び音声制御装置１４ｃにより構成され、主制御装置１３が生成した処理情報に従って所定の出力態様処理を行う。なお、副制御装置１４は、出力態様処理毎の装置として構成しても、各出力態様処理を複数組み合わせて構成してもよい。また、副制御装置１４を構成する各制御装置は、処理情報に従って独立して処理を実行可能なように、内部にＣＰＵ、ＲＯＭ、ＲＡＭを備える。
【００６７】
ここで、前記図柄制御装置１４ａは、主制御装置１３が生成した処理情報に従って、ビデオ・ディスプレイ・プロセッサ（ＶＤＰ）５０を介して可変表示装置３４、又はＬＥＤ表示装置３５を制御することにより、識別点灯情報又は識別表示情報を変動表示させた後に停止表示する制御を行う装置である。すなわち、図柄制御装置１４ａ及びＶＤＰ５０は、本発明の表示制御部を構成する。
【００６８】
前記ランプ制御装置１４ｂは、主制御装置１３が生成した処理情報に従って、開口枠扉６の電飾２９（演出報知ランプ、払出ランプ、トラブルランプを含む）や遊技領域３１内に設けられた演出用表示ランプ（電飾）４３、又は特定保留数表示ランプ４１、通過保留数表示ランプ４２等を点灯制御する装置である。なお、特定保留数表示ランプ４１又は通過保留数表示ランプ４２が表す情報は可変表示装置３４による識別表示情報として報知してもよい。
【００６９】
前記音声制御装置１４ｃは、主制御装置１３が生成した処理情報に従ってスピーカ３０やサウンドプロセッサ等の音声発生装置５１を制御して音声を発生させる装置である。
【００７０】
前記払出制御装置５２は、主制御装置１３が生成した処理情報に従って、遊技球払出装置１５により所定数の賞球を払出す制御を行う装置である。また、前記払出制御装置５２は、主制御装置１３が生成した処理情報に従って、球貸信号制御装置１６を介して、ＣＲユニット１に読み込ませたプリペイドカードに格納したデータ情報を参照して、所定数の貸球を払出す制御を行うと共に、貸球の払出し個数を計数して管理をする装置である。なお、払出制御装置５２は、処理情報に従って独立して処理を実行可能なように、内部にＣＰＵ、ＲＯＭ、ＲＡＭを備える。
【００７１】
前記検知センサ４７は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより構成される。そして、各検知センサ４７はそれぞれ、始動入賞口２、特別入賞口３、入賞特定領域（例えば、特別入賞口３の略中央部より右側領域）、所定通過口３８，４６、その他入賞口３７、賞球口２０、及び球詰まりが発生し易い球通路部材４９の球通路４９ａ近傍に設けられ、各場所における遊技球の通過の有無を検知する。
【００７２】
前記集中管理装置４８は、主制御装置１３が生成した処理情報を遊技機の外部において管理する装置である。
【００７３】
［遊技機の動作］
次に、本実施形態の遊技機の動作を主制御装置１３、副制御装置１４、払出制御装置５２、及び可動物駆動装置１７の動作に分けて説明する。
【００７４】
〔主制御装置の動作〕
始めに、主たる遊技制御を行う主制御装置１３の動作について説明する。
【００７５】
前記電源供給装置２１は、電源が投入されるのに応じて、遊技機の電気的な制御装置に対し主電源から電力を供給する。そして、主制御装置１３のＣＰＵ１３ａは、電源が供給されると、初期設定として下記必要確認事項のチェックを行い、遊技機が適正な起動状態となっているか否かをチェックする。
【００７６】
具体的には、始めに、主制御装置１３のＣＰＵ１３ａは、「ＲＡＭ１３ｃに記憶されている処理情報をクリアするスイッチ（図示せず）はオン状態であるか否か」を判断する。そして、スイッチがオン状態である場合、主制御装置１３のＣＰＵ１３ａは、不要残存データとなる賞球情報や遊技履歴情報等、ＲＡＭ１３ｃに記憶されている処理情報を削除し、所定の処理情報をＲＡＭ１３ｃ内に正常に記憶し得るか否かをチェックする。チェックの結果、正常に記憶し得るとのチェック結果となった場合、主制御装置１３のＣＰＵ１３ａは、メインルーチン処理への移行を許可し、副制御装置１４に対して通知する主制御起動開始の処理情報等を生成する。
【００７７】
一方、スイッチがオン状態でない場合には、主制御装置１３のＣＰＵ１３ａは、「バックアップフラグを設定しているか否か」の判断を行い、バックアップフラグが設定されている場合、前述と同様のチェック及びメインルーチン処理への移行許可等を行う。逆に、バックアップフラグが設定されていない場合、主制御装置１３のＣＰＵ１３ａは、「ＲＡＭ１３ｃに記憶されている処理情報（記憶領域の内容）が壊れていないか否か」を判断し、ＲＡＭ１３ｃに記憶されている処理情報が「壊れていない」と判断した場合、前述と同様のチェック及びメインルーチンへの移行許可等を行う。
【００７８】
一方、ＲＡＭ１３ｃに記憶されている処理情報が「壊れている」と判断した場合には、主制御装置１３のＣＰＵ１３ａは、電源投入時前に不本意な停電、故障、処理ミス等のエラーが生じていたものと判断し、エラー解除の復帰処理が行われた後に、エラーが発生した電源断時点からの処理を始める制御を行う。
【００７９】
ここで、本実施形態におけるメインルーチン処理は、主制御装置１３に備えられたＲＯＭ１３ｂに予め格納された制御プログラム（コンピュータプログラム）により実行される。そして、主制御装置１３のＣＰＵ１３ａは、メインルーチン処理として、乱数更新処理、入力検知受信処理、入力管理処理、異常監視処理、特別図柄制御処理、普通図柄制御処理、ランプ管理処理、準備球払出処理、外部情報管理処理、及び出力管理処理を行う。
【００８０】
なお、このメインルーチン処理とは、周波数発生回路部１３ｄが生成する周期的な信号に基づく分周設定により定期的なタイミングパルス（例えば４ミリ秒）を生成し、生成されたタイミングパルスに合わせて、ＣＰＵ１３ａが、前記各処理の読み込み更新、又は書き込み記憶、又は該記憶の削除等を含む制御実行処理を繰り返し実行する基本ルーチンのことである。
【００８１】
以下、前記メインルーチン処理の各処理のうち、乱数更新処理、入力検知受信処理、入力管理処理、特別図柄制御処理、普通図柄制御処理、及び出力管理処理について詳しく説明する。
【００８２】
『乱数更新処理』
前記乱数更新処理は、抽選遊技処理と複数の所定数値群のグループから成る乱数生成範囲とを対応するように個別の種類毎に設定し、この設定に基づいて乱数を生成する処理である。なお、本実施形態における乱数とは、抽選遊技処理毎に応じた乱数生成範囲を設定した乱数生成プログラム（例えば、当否判定用の乱数生成範囲は０〜６９９、変動パターン決定用の乱数生成範囲は０〜３９、表示図柄決定用の乱数生成範囲は０〜１１等）に従って、タイミングパルス（例えば、４ミリ秒）に応じて前記乱数生成範囲内において数値を＋１ずつ更新した時の数値を意味する。また、この乱数更新処理は、主制御装置１３のＲＯＭ１３ｂに格納される制御プログラムによるソフトウェア的な処理に限られず、外部に設けられた物理的装置となる乱数発生手段に基づいて乱数の更新処理を行わせ、この乱数を主制御装置１３のＣＰＵ１３ａに取り込んで乱数抽出の制御処理をさせるようにしてもよい。
【００８３】
『入力検知受信処理』
前記入力検知受信処理は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより生成された入力情報があるか否かをタイミングパルス（例えば、４ミリ秒）に応じて監視、及びセンサからの入力情報を受信する処理である。
【００８４】
『入力管理処理』
前記入力管理処理は、入力検知受信処理により受信した入力情報を解析し、どの検知センサからの入力信号であるか等の解析結果に応じて、例えば、複数の入賞口毎に入賞させた各々の遊技球個数の計数管理や、入賞検知に係る受信時から該入賞に基づく制御処理が開始されるまでの時間管理等の処理を行い、後述する異常監視処理、特別図柄制御処理、普通図柄制御処理、ランプ管理処理、及び賞球払出処理を行う上で、適宜に該処理結果を使用できるようにする処理である。
【００８５】
『特別図柄制御処理』
前記特別図柄制御処理は、始動入賞口２の近傍に設けられた特定入賞球検知センサ４７ａから入力情報を受信するのに応じて電子的な当否抽選を行い、当選の場合には、通常の遊技状態から遊技者にとって有利な遊技状態（大当たり遊技状態）となるように特別入賞口３に遊技球が入賞し易くする処理である。また、この特別図柄制御処理では、主制御装置１３のＣＰＵ１３ａは、可変表示装置３４で識別表示情報（以下、特別図柄と称す）を表示制御することに関係する処理も行う。
【００８６】
ここで、特別図柄とは、前記始動入賞口２への遊技球の入賞に基づく前記当否抽選の結果を可変表示する複数の識別情報（例えば、左・中・右の３つの図柄）である。抽選結果が当選の場合には、複数の識別情報が、予め定められた特定の組み合わせで停止した表示態様（例えば、左・中・右の３つの図柄が全て同じ図柄で揃った状態）となり、これにより、遊技者にとって有利な遊技状態（大当たり遊技状態）に移行したことが報知される。係る遊技状態では、通常遊技状態と比較して短時間に多くの賞球が獲得可能な状態が連続的に発生する。一方、抽選結果が外れの場合には、複数の識別情報が、予め定められた特定の組み合わせ以外で停止した表示態様（例えば、左・中・右の３つの図柄のうち少なくとも一つが他と異なっている状態）となり、これにより、通常遊技状態が継続していることが報知される。
【００８７】
また、前記特別図柄における可変表示とは、予め設定された、互いに異なる複数種類の特別図柄（例えば、１２種類）を、所定速度で周期的に順次表示させる態様を、複数の表示領域（例えば、左・中・右等の３つ）にて行う表示方法である。以下、可変表示及びこれに付随する背景変動（キャラクタ表示を含む）における演出を報知演出と称する。
【００８８】
この特別図柄制御処理では、主制御装置１３のＣＰＵ１３ａは、始動入賞口２への遊技球の入賞を契機として、乱数抽出による予め定められた数値の比較に応じた当否抽選、及び該抽選結果に係る表示制御を行うために、当否判定（抽選）用となる有利な遊技状態に移行させるか否かの当否用の乱数と、可変表示装置３４にて当否の判定結果に応じた可変表示となる報知演出をするための変動パターン決定用の乱数と、同じく可変表示装置３４にて当否の判定結果に応じた停止表示の態様とするための特別図柄決定用の乱数とを乱数更新処理にて生成する。そして、主制御装置１３のＣＰＵ１３ａは、生成した乱数を個別に読み出し、取得乱数として記憶手段に記憶する。
【００８９】
また、この特別図柄制御処理では、主制御装置１３のＣＰＵ１３ａは、乱数の取得時点で既に特別図柄制御による報知演出処理等の先行制御処理が行われていないことを条件として記憶させた当否用の取得乱数と、数値振分けデータ群としてテーブルに予め設定されている当否用比較数値とを照合して比較することで当否判定を行い、その結果である当否情報を記憶手段に記憶する。
【００９０】
次に、主制御装置１３のＣＰＵ１３ａは、予めテーブルに当否に基づいて分類して記憶してある当たり又は外れ用の変動パターン比較用数値と、該記憶された変動パターン決定用の取得乱数とを、記憶手段に記憶した当否情報に応じて照合して比較することにより、変動パターン決定判定を行い、その結果である当たり又は外れ用とする変動パターン情報（パターン番号）を記憶手段に記憶する。
【００９１】
さらに、主制御装置１３のＣＰＵ１３ａは、予めテーブルに当否に基づいて分類して記憶してある当たり又は外れ用から成る停止表示の態様（例えば、左・中・右の並び態様）の特別図柄比較用数値と、該記憶された特別図柄決定用の取得乱数とを、前記記憶した当否情報と当たり又は外れ用とする変動パターン情報に応じて照合して比較することにより、特別図柄決定判定を行い、その結果から得られる複数の特別図柄のそれぞれを個別に停止表示させる、当たり又は外れ用となる特別図柄情報（左・中・右の特別図柄番号）を記憶手段に記憶する。
【００９２】
ここで、変動パターン比較用数値、或いは特別図柄比較用数値を有するテーブルとこれに対応させた取得乱数とに応じて照合して比較することは、当たりの場合は当たり用の比較用数値とこれに対応した取得乱数との組み合わせの一致を判断し、外れの場合は外れ用の比較用数値とこれに対応した取得乱数との組み合わせの一致を判断することにより、合致するものを探し出す処理である。そして、前記合致に応じた当たり又は外れ用の変動パターン番号、或いは当たり又は外れ用の複数の特別図柄番号が記憶手段に記憶される。
【００９３】
なお、前記乱数発生手段による乱数の取得時点において、「特別図柄制御による報知演出処理等の先行制御処理が行われていないことを条件に当否判定を行う」としたが、該契機条件は任意に設計変更可能なものとする。
【００９４】
これまで説明した特別図柄制御処理により、始動入賞口２における入賞後に得られる処理情報として、以下の情報が生成される。
（１）当たり又は外れ用の変動パターン番号。
（２）所定の可変表示領域に対し一時的に停止表示（微動表示を含む）をさせる、当たり又は外れ用の複数の特別図柄番号。
（３）該一時的に停止表示をさせる複数の特別図柄に対して停止表示の態様とさせるための確定停止指示番号。
（４）前記当否判定における当たりの場合の大当たり移行指示番号。
【００９５】
そして、後述する出力管理処理を介して副制御装置１４側へ前記変動パターン番号と複数の特別図柄番号を送信する時に、決定された変動パターンに対応する制御処理実行時間を主制御装置１３のＣＰＵ１３ａにて設定し、カウント演算処理を行わせるタイマーを更新する。
【００９６】
なお、前記乱数発生手段により乱数の取得時点において、特別図柄制御による報知演出処理等の先行制御処理が行われていた場合には、主制御装置１３のＣＰＵ１３ａは、該制御処理が終了するまで、読み出し結果である特別図柄制御に係る取得乱数又は前記表示態様の実行のための処理情報を記憶手段に記憶し、記憶したことを報知するために、乱数等の格納毎に特定保留数表示ランプ４１を１つずつ点灯すべく、副制御装置１４（ランプ制御装置１４ｂ）側へ送信する点灯命令情報を生成する。
【００９７】
そして、可変表示している変動パターンの変動表示時間の推移を管理すべく設定しているカウント演算による更新をしているタイマーに基づいて、主制御装置１３のＣＰＵ１３ａが、停止表示の態様報知時間のタイミングに合わせて、記憶手段に記憶された不必要な取得乱数又は処理情報の削除を行うと共に、確定停止指示番号を送信した時に、特定保留数表示ランプ４１を１つずつ消灯させる。すなわち、副制御装置１４（ランプ制御装置１４ｂ）は、特定保留数表示ランプ４１の点灯処理が行われている場合には、該確定停止指示番号を消灯命令処理情報として用いるようになる。
【００９８】
なお、本実施形態では、前記取得乱数又は処理情報を記憶手段に記憶させる時に、記憶すべき該取得乱数又は処理情報の上限個数（例えば、５個）を予め定めておき、先行制御処理に係る取得乱数又は処理情報の記憶を含めた合計記憶個数が上限の場合、主制御装置１３のＣＰＵ１３ａは、該取得乱数又は処理情報を生成する条件が満たされていても無効条件成立として、記憶する制御は行わず、特別図柄制御の当否判定も行わない。
【００９９】
また、この特別図柄制御処理では、前記有利な遊技状態（大当たり遊技状態）に移行させるか否かの当否判定の結果が当たりとなり、この当たり結果を報知するため、前記特別図柄の組み合わせによる予め定められた停止表示の態様を実行する場合において、主制御装置１３のＣＰＵ１３ａは、以下のような処理をする。すなわち、主制御装置１３のＣＰＵ１３ａは、当たりに対応して、前記有利な遊技状態に移行させるために、（ａ）前記特別入賞口３に対して閉口するように備えさせていた可動扉４５を開口状態とし、（ｂ）該開口状態が所定時間（例えば、３０秒）経過するか、又は該特別入賞口３に対して所定個数（例えば、１０個）の遊技球を入賞させるかのいずれかの条件を満たすことを条件に、可動扉４５を閉口制御し、さらに、（ｃ）該開口状態中に入賞した遊技球のいずれかが特別入賞口３内に設けられた入賞特定領域を通過して、入賞特定領域検知センサ４７ｃにて検知されたことを条件として、可動扉４５を連続的に開口状態とし、（ｄ）前述と同様の条件成立の推移にて可動扉４５を開閉することを、所定上限回数（例えば、１６回）が達成されるまで繰り返すよう指示する処理情報を生成する。
【０１００】
さらに、前記当否用の取得乱数と当否用比較数値のテーブルとの照合による当否判定時に、該取得乱数が「予め定められている特殊用数値（例えば、当たり確率上昇変動状態への移行と対応させた数値）」による当たりである、と判定された場合には、主制御装置１３のＣＰＵ１３ａは、前記有利な遊技状態の終了後において用いるテーブルを、例えば、当選確率が１／３５０から１／７５となるような当たり発生確率が高いテーブルへと参照テーブルを変更し、その後、前記特定入賞口２への入賞に基づく可変表示の回数が所定回数（例えば、１００００回）となるまでか、又は特別図柄制御に係る当たりと判定される条件が満たされたら、変更前のテーブルに戻すように指示するための処理情報を生成する。このような処理情報で制御される遊技状態を特典遊技状態ということとする。
【０１０１】
また、前記特典遊技状態における別の実施形態として、１つの変動パターンに係る変動表示時間が通常遊技状態時と比較して短い変動パターンを設定したテーブルを設け、特殊乱数による当たりと判定された場合、主制御装置１３のＣＰＵ１３ａは、該テーブルへと参照テーブルを変更し、前記特定入賞口２への入賞に基づく可変表示の回数が所定回数（例えば、１００００回）となるまでか、又は、特別図柄制御に係る当たりと判定される条件が満たされたら、変更前のテーブルに戻すよう指示する処理情報を生成するようにしてもよい。すなわち、本発明においては、前記特典遊技状態の形態には拘らない。
【０１０２】
『普通図柄制御処理』
前記普通図柄制御処理は、遊技者にとって有利な遊技状態（以下、普通図柄当選状態と称する）とする処理であり、所定通過口３８近傍に設けられた通過球検知センサ４７ｄからの入力情報を受信するのに応じて電子的な当否抽選を行い、当選の場合に前記始動入賞口２の入口両側に設けた可動片４４を拡大して、その開口範囲を拡大させ、打ち出した遊技球を始動入賞口２に入り易くする処理、及び当選の場合に前記案内部材６１を張設状態から弛緩状態に変更させ、打ち出した遊技球を始動入賞口２に入り易くする（案内枠７０に進入し易くする）処理である。また、この普通図柄制御処理では、ＬＥＤ表示装置３５で普通図柄と称される識別情報を表示制御する処理も行う。
【０１０３】
ここで、普通図柄とは、前記通過球検知センサ４７ｄからの入力情報に応じた当否抽選の結果を可変表示又は点滅表示する所定数の識別情報（例：「○・−」→当選図柄、「−・×」→外れ図柄）である。抽選結果が当選の場合には、所定数の識別情報が予め定められた特定の組み合わせで停止した表示態様（例：「○・−」）となり、これにより、遊技者にとって有利な遊技状態（例えば、小当たり）に移行したことが報知される。係る遊技状態では、通常遊技状態と比較して、打ち出した遊技球が入賞し易い状態が単発的又は連続的に発生する。一方、抽選結果が外れの場合には、所定数の識別情報が、予め定められた特定の組み合わせ以外で停止した表示態様（例：「−・×」）となり、これにより、通常遊技状態が継続していることが報知される。なお、本発明においては、識別情報を表示制御するＬＥＤ表示装置３５の代わりに、前記可変表示装置３４又はドラム式やドットマトリクス式の表示装置等でもよく、表示方法には拘らない。
【０１０４】
この普通図柄制御処理では、遊技球が前記所定通過口３８を通過することを契機として、主制御装置１３のＣＰＵ１３ａが、特定入賞口２を拡大する可動片４４を作動させるか否か及び案内部材６１を弛緩状態に移行するか否かを決定するための当否用乱数を前記乱数更新処理にて生成する。そして、主制御装置１３のＣＰＵ１３ａは、生成した乱数を読み出して記憶手段に取得乱数として記憶する。
【０１０５】
また、この普通図柄制御処理では、乱数の取得時点で既に普通図柄制御による報知演出処理等の先行制御処理が行われていないことを条件に、主制御装置１３のＣＰＵ１３ａが、該記憶させた当否用の取得乱数と、数値振分けデータ分としてテーブルに予め設定されている当否用比較数値とを比較することで当否判定を行い、その判定結果を当否情報として記憶手段に記憶する。
【０１０６】
次に、主制御装置１３のＣＰＵ１３ａは、予めテーブルに当否に基づいて分類して記憶してある当たり又は外れ用の変動パターン比較用数値と、該記憶させた当否用の取得乱数とを比較することで、変動パターン決定判定を行い、その結果に従って当たり又は外れ用の点滅表示のための変動パターン情報を記憶手段に記憶する。
【０１０７】
さらに、主制御装置１３のＣＰＵ１３ａは、予めテーブルに当否に基づいて分類して記憶してある当たり又は外れ用の普通図柄比較用数値と、該記憶させた当否用の取得乱数とを比較することで、普通図柄決定判定を行い、その結果に従って当たり又は外れ用の停止表示のための普通図柄情報を記憶手段に記憶する。
【０１０８】
上記において、変動パターン比較用数値又は普通図柄比較用数値を有するテーブルと取得乱数との比較とは、当たり用の比較用数値とこれに対応した取得乱数との組み合わせの一致判断が当たりの場合であり、外れ用の比較用数値とこれに対応した取得乱数との組み合わせの一致判断が外れの場合であり、いずれも合致するものを探し出す処理である。そして、前記合致に応じた当たり又は外れ用の変動パターン番号、或いは当たり又は外れ用の複数の普通図柄番号が記憶手段に記憶される。
【０１０９】
なお、当たり外れの当否につき、前記乱数発生手段によって発生した乱数を普通図柄制御処理で取得した時点において、「普通図柄制御による報知演出処理等の先行制御が行われていないことを条件に当否判定を行う」としていたが、該契機条件は任意に設計変更可能なものとする。
【０１１０】
これまで説明した普通図柄制御処理により、所定通過口３８における通過状態達成後に得られる処理情報として、以下の情報が生成される。
（１）当たり又は外れ用の変動パターン番号。
（２）当たり又は外れ用の普通図柄番号。
（３）可変表示又は点滅表示させた普通図柄に対して停止表示の態様とされるための確定停止指示番号。
（４）前記当否判定における当たりの場合の小当たり移行指示番号。
【０１１１】
そして、後述する出力管理処理を介して副制御装置１４側へと前記変動パターン番号と普通図柄番号を送信する時に、決定された変動パターンに対応して、その変動パターンの変動制御処理実行時間を主制御装置１３のＣＰＵ１３ａにて設定し、カウント演算処理を行わせるタイマを更新する。なお、このタイマによる制御処理実行時間の経過に応じたタイミングで、確定停止指示番号と前記当否判定における当たりの場合の小当たり移行指示番号が、出力管理処理を介して送信される。
【０１１２】
従って、普通図柄当選状態に移行させるか否かは、例えば、当否判定用の抽選遊技処理と、０〜４８個の「外れ用数値」及び小当たりと対応付けられた「特定用数値」の計５０個から成る乱数生成範囲とを対応付けするように、前記乱数更新処理において設定し、前述した遊技球の通過口通過に応じたタイミングで更新された数値が乱数として取得され、該取得乱数が「特定用数値」と成るかの当否判定の結果によって決定する。すなわち、遊技球の通過口通過を契機として、１／５０の抽選確率で当たり判定となる普通図柄処理に移行する。
【０１１３】
前記乱数発生手段による乱数を普通図柄制御処理において取得した時点において、普通図柄制御による報知演出処理等の先行制御処理が行われていた場合には、該制御処理が終了するまで、読み出し結果である普通図柄制御に係る取得乱数又は前記表示態様の実行のための処理情報を記憶手段に記憶し、記憶したことを報知するために、乱数等の格納毎に通過保留数表示ランプ４２を１つずつ点灯すべく、副制御装置１４（ランプ制御装置１４ｂ）側へ送信する点灯命令処理情報を生成する処理を主制御装置１３のＣＰＵ１３ａにて行う。
【０１１４】
そして、主制御装置１３のＣＰＵ１３ａは、可変表示している変動パターンの変動表示時間の推移を管理すべく設定しているカウント演算による更新をしているタイマに基づいて、停止表示の態様報知時間のタイミングに合わせて、記憶手段に記憶された不必要な取得乱数又は処理情報の削除を行うと共に、確定停止指示番号を送信した時に、通過保留数表示ランプ４２を１つずつ消灯させる。すなわち、副制御装置１４（ランプ制御装置１４ｂ）は、通過保留数表示ランプ４２の点灯処理が行われている場合には該確定停止指示番号を消灯命令処理情報として用いる。
【０１１５】
なお、本実施形態では、前記取得乱数又は処理情報を記憶手段に記憶させる時に、記憶すべき該取得乱数又は処理情報の上限個数（例えば、５個）を予め定めておき、先行制御処理に係る取得乱数又は処理情報の記憶を含めた合計記憶個数が上限の場合には、該取得乱数又は処理情報を生成する条件が満たされていても無効条件成立として、記憶をする制御処理は行わず、普通図柄制御の当否判定も行わない。
【０１１６】
また、該普通図柄制御処理では、前記有利な遊技状態とするために、
（ａ）前記始動入賞口２に対して開口範囲を縮小するようにさせていた一対の可動片４４を作動させて該開口範囲を所定時間（例えば、０．２秒）拡大する（始動入賞口２を開放する）処理をし、
（ｂ）その後に元の状態に戻す、
という処理を所定回数（例えば、１回）行わせる指示をする処理情報と、
（ｃ）前記ソレノイド６９を作動させて、張設状態の前記案内部材６１を所定時間（例えば、１．０秒）弛緩状態に設定する処理をし、
（ｂ）その後に元の状態に戻す、
という処理を所定回数（例えば、１回）行わせる指示をする処理情報と、を生成する。
【０１１７】
なお、該一対の可動片４４を拡大させた時の維持時間は、例えば、前記特別図柄制御処理における特殊用数値を乱数として取得した場合の当たり判定によって、前記特典遊技状態へと移行させた時に、０．２秒から１．７秒とし、一対の可動片４４の拡縮回数は１回から２回へと変更する制御処理をするとよい。同様に、案内部材６１を弛緩状態へ移行させた時の維持時間は、例えば、前記特別図柄制御処理における特殊用数値を乱数として取得した場合の当たり判定によって、前記特典遊技状態へと移行させた時に、１．０秒から２．０秒とし、案内部材６１を弛緩状態に設定する回数は１回から２回へと変更する制御処理をするとよい。
【０１１８】
また、前記特典遊技状態中における別の実施形態として、前記当否用の取得乱数と当否用比較数値のテーブルとの照合により当否判定時の当選確率が、１／５０から１／１０となるような、当選確率の高いテーブルへと参照テーブルを変更するようにしてもよい。
【０１１９】
また、１つの変動パターンに係る点滅表示時間を通常時は２９秒としていたのを５．１秒に短縮化する短い変動パターンを設定したテーブルを設けて該テーブルへと参照テーブルを変更し、その後、前記特定入賞口２への入賞に基づく可変表示の回数が所定回数となるまでか、又は特別図柄制御に係る当たりと判定される条件が満たされたら、変更前のテーブルに戻すように指示するための処理情報を生成するようにしてもよい。
【０１２０】
すなわち、本発明においては、前記特典遊技状態の形態に拘らない。なお、可変表示又は点滅表示させる開始時間から終了時間までの期間は、通常時２９秒としているが、これを５．１秒に短縮化してもよい。
【０１２１】
また、短い変動パターンを設定したテーブルを設け、大当たり遊技状態終了後に参照テーブルを該テーブルへと変更することにより、時短遊技状態へ移行させてもよい。時短遊技状態は、特別図柄が所定回数変動表示する（大当たり遊技状態を生起させるための抽選が所定回数実行される）まで、又は特別図柄制御に係る当たりと判定される（大当たり遊技状態が生起される）まで継続し、参照テーブルを変更前のテーブルに戻すように指示するための処理情報が生成されることにより終了する。この時短遊技状態では、１つの変動パターンに係る点滅表示時間が短縮され、単位時間当たりの当否判定の機会が増加するので、単位時間当たりの特定入賞口２の開放回数（時間）及び案内部材６１が弛緩状態に設定される回数（時間）が増加する。これにより、特定入賞口２への遊技球の入賞率が高まるので、遊技者は遊技球を減らすことなく遊技を行うことができる。なお、時短遊技状態を、全ての大当たり遊技状態の終了後ではなく、前記特典遊技状態直後の大当たり遊技状態の終了後に限って生起させてもよい。
【０１２２】
『出力管理処理』
前記出力管理処理とは、異常監視処理、特別図柄制御処理、普通図柄制御処理、ランプ管理処理、及び準備球払出処理により生成された処理情報を、副制御装置１４及び払出制御装置５２側へ送信するために、出力データを編集し、該処理情報の出力タイミングを通知するためのストローブ（ＳＴＢ）信号を伴わせて、該出力編集した記憶情報を送信する処理である。
【０１２３】
〔副制御装置の動作〕
次に、副制御装置１４の動作について説明する。
【０１２４】
前記副制御装置１４は、電源投入による起動開始時、初期設定を行い、必要確認事項のチェック処理を行う。そして、チェック処理結果が正常であれば、該副制御装置１４におけるメインルーチン処理への移行を許可し、主制御装置１３のＣＰＵ１３ａから送信された記憶情報である主制御起動開始情報等を受信する。
【０１２５】
なお、前記副制御装置１４のメインルーチン処理とは、図柄制御装置１４ａ、ランプ制御装置１４ｂ、及び音声制御装置１４ｃのそれぞれに備えられたＲＯＭに予め格納された主要な制御プログラムを、周波数派生回路部１３ｄで生成した定期的なタイミングパルス（例えば、４ミリ秒）に合わせて、読み込み更新、又は書き込み記憶、又は該記憶の削除等を含む制御実行処理を繰り返し実行する基本ルーチンのことである。以下、前記副制御装置１４のメインルーチン処理における基本的な処理の一例について説明する。
【０１２６】
始めに、副制御装置１４は、前記出力管理処理にて送信した処理情報を受信したか否かをタイミングパルスに応じて監視し、受信が行われている場合に記憶手段（例えば、ＲＡＭ）に記憶する。次に、副制御装置１４は、該受信した処理情報の解析処理を行い、どのような遊技状態における異常監視処理、特別図柄制御処理、普通図柄制御処理、ランプ管理処理、及び球払出処理のいずれかの処理情報（先行コマンド）で且つ、どのような出力態様を実行させる処理情報（後続コマンド番号）かの判別を行う。
【０１２７】
そして、副制御装置１４は、該解析処理の結果に応じたフラグの設定、及び出力態様に係る制御処理実行時間に基づきカウント演算するタイマーを設定し、予め定められた制御プログラムを格納する記憶手段（例えば、ＲＯＭ）から、該解析処理の結果に応じた出力態様用の制御プログラムを読み出して実行する制御処理を行う。
【０１２８】
以下、処理情報を受信した場合の、図柄制御装置１４ａの動作について順に説明する。
【０１２９】
『図柄制御装置の動作』
処理情報が特別図柄制御用の通常遊技状態における当たり又は外れ用の変動パターン番号と、所定の可変表示領域に対し一時的な停止表示（微動表示を含む）をさせる当たり又は外れ用の複数の特別図柄番号（例えば、左・中・右の３つ）であった場合、図柄制御装置１４ａは、特別図柄制御用の通常遊技状態における当否に基づいて予め分類して記憶してある報知演出分類テーブルと、該変動パターン番号とを照合して比較することで当たり又は外れ用の報知演出分類テーブルを決定する。
【０１３０】
そして、図柄制御装置１４ａは、前記決定した報知演出分類テーブルに基づいて、該図柄制御装置１４ａに設けられた演出選択用乱数を更新する乱数発生手段から、前記変動パターン番号の受信に応じ読み出して記憶手段に記憶させた取得乱数との照合による比較により、当たり用の報知演出データ又は外れ用の報知演出データを設定する。
【０１３１】
また、図柄制御装置１４ａは、所定の可変表示領域に対し停止表示を行う複数種類の特別図柄がプログラムされている通常遊技状態用の特別図柄分類テーブルと、該複数の特別図柄番号との個別の照合による比較により、前記可変表示装置３４にて停止表示を行う当たり又は外れ用の複数の特別図柄データのそれぞれを設定する。なお、特別図柄分類テーブルに格納された停止表示用の特別図柄は、一時的な停止を含むようにしてもよい。その後、図柄制御装置１４ａは、ＶＤＰ５０を介する可変表示装置３４にて、該設定した報知演出データと複数の特別図柄データに応じた、可変表示及び停止表示の表示制御を行う。
【０１３２】
なお、図柄制御装置１４ａは、前記変動パターン番号と複数の特別図柄番号の送信又は受信に応じて、カウント演算による更新を行う前記主制御装置１３又は副制御装置１４のタイマーによる、表示制御に係る処理実行時間の経過のタイミングに基づいて送信又は受信する確定停止指示番号に従って、可変表示の表示制御が行われた複数の特別図柄に対して停止表示の態様（例えば、左・中・右の並び態様）とする処理を行う。
【０１３３】
また、前記確定停止指示番号の受信時において、大当たり移行指示番号を受信していた場合、図柄制御装置１４ａは、遊技者にとって有利な遊技状態の報知演出データを設定し、前記停止表示の態様とした後に大当たり用の表示制御を行う。なお、該受信情報が、特別図柄制御用の遊技者にとって有利な遊技状態における情報であった場合には、図柄制御装置１４ａは、特別図柄制御に係る前記報知演出分類テーブル又は特別図柄分類テーブルに参照テーブルを変更し、該有利な遊技状態の時に行う可変表示及び停止表示とする当たり又は外れ用の報知演出データ、及び当たり又は外れ用の複数の特別図柄データを設定する。
【０１３４】
また、該受信情報が、普通図柄制御用の通常遊技状態における当たり又は外れ用の変動パターン番号と、当たり又は外れ用の普通図柄番号であった場合には、図柄制御装置１４ａは、普通図柄制御用の通常遊技状態における遊技状態に応じて予め分類して記憶してある点滅演出分類テーブルと、該変動パターン番号とを照合して比較することで、当たり又は外れ用の変動表示データを設定する。
【０１３５】
また、図柄制御装置１４ａは、所定の点滅表示領域に対し停止表示させる普通図柄がプログラムされている通常遊技状態用の普通図柄分類テーブルと、該普通図柄番号との照合による比較により、前記ＬＥＤ表示装置３５にて停止表示させる当たり又は外れ用の普通図柄データを設定する。
【０１３６】
なお、図柄制御装置１４ａは、前記変動パターン番号と普通図柄番号の送信又は受信に応じて、カウント演算による更新を行う主制御装置１３又は副制御装置１４のタイマーによる、表示制御に係る処理実行時間の経過のタイミングに基づいて送信又は受信する確定停止指示番号に従って、点滅表示の表示制御が行われた普通図柄に対して停止表示の態様（例えば、「○・−」、又は「−・×」の点灯態様）とする処理を行う。
【０１３７】
また、前記確定停止指示番号の受信時において、小当たり移行指示番号を受信した場合は、図柄制御装置１４ａは、遊技者にとって有利な遊技となる状態の点滅演出データを設定し、前記停止表示の態様とした後に小当たり用の表示制御を行う。
【０１３８】
〔払出制御装置の動作〕
次に、払出制御装置５２の動作について説明する。
【０１３９】
払出制御装置５２は、電源投入による起動開始時、初期設定を行い、必要確認事項のチェック処理を行う。そして、チェック処理結果が正常であれば、該払出制御装置５２におけるメインルーチン処理への移行を許可し、主制御装置１３のＣＰＵ１３ａから送信された記憶情報である主制御起動開始情報等を受信する。
【０１４０】
なお、前記払出制御装置５２のメインルーチン処理とは、ＲＯＭに予め格納された主要な制御プログラムを、周波数派生回路部１３ｄで生成した定期的なタイミングパルス（例えば、４ミリ秒）に合わせて、読み込み更新、又は書き込み記憶、又は該記憶の削除等を含む制御実行処理を繰り返し実行する基本ルーチンのことである。以下、前記払出制御装置５２のメインルーチン処理における基本的な処理の一例について説明する。
【０１４１】
主制御装置１３からの受信情報が、特別図柄制御用の通常遊技状態における特定入賞球検知センサ４７ａからの賞球処理情報、又は、特別図柄制御用の遊技者にとって有利な遊技状態における特別入賞球検知センサ４７ｂからの賞球処理情報等の記憶情報であった場合には、払出制御装置５２は、遊技球払出装置１５を作動させて該記憶情報に応じた賞球個数とするための払出データテーブルに基づいて払出データを設定し、該設定に応じた賞球となるように所定数の遊技球を遊技者に対して払い出す。
【０１４２】
なお、該受信情報が、特別図柄制御用の遊技者にとって有利な遊技状態における特定入賞球検知センサ４７ａからの賞球処理情報となる記憶情報であった場合には、払出制御装置５２は、遊技球払出装置１５を作動させて通常遊技状態時と比較して増加又は減少のいずれかとなる賞球個数とする払出データテーブルへと変更し、該変更された払出データテーブルに基づいて払出データを設定し、該設定に応じた増加又は減少とする賞球となるように所定数の遊技球を遊技者に対して払い出す。
【０１４３】
さらに、球貸信号制御装置１６を介したボタン操作により、ＣＲユニット１で読んだプリペイドカードのデータ情報を参照して、所定数の貸球を払い出す制御を行わせる場合には、払出制御装置５２は、該参照したデータ情報を受信して該データ情報に応じた貸球個数とするための払出データテーブルに基づいて払出データを設定し、該設定に応じた賞球となるように所定数の遊技球を遊技者に対して払い出す。
【０１４４】
〔可動物駆動装置の動作〕
次に、可動物駆動装置１７の動作を、可動片駆動装置、案内部材駆動装置６５、可動扉駆動装置、入賞領域振分駆動装置の動作に分けて説明する。
【０１４５】
『可動片駆動装置の動作』
主制御装置１３による処理において、普通図柄制御用の通常遊技状態における小当たり移行指示番号を生成するのに応じて、前記可動片駆動装置は、前記始動入賞口２の開口範囲を縮小させていた一対の可動片４４を所定時間（例えば、０．２秒）拡大し、その後再び縮小するように、前記可動片駆動装置に設けられたソレノイド等の駆動部に対して所定電圧（例えば、１２Ｖ）を印加する拡大実行処理を所定回数（例えば、１回）行うよう指示するためのコマンドを生成する。
【０１４６】
また、主制御装置１３による処理において、普通図柄制御用の遊技者にとって有利な遊技状態における小当たり移行指示指示番号を生成した場合には、前記可動片駆動装置は、前記始動入賞口２に対して開口範囲を縮小させていた一対の可動片４４を０．２秒から１．７秒へと長くして拡大して再び縮小するように、可動片駆動装置に設けられたソレノイド等の駆動部に対して所定電圧を送電し、また、拡大実行処理を例えば１回から２回へと多くして行う指示をするコマンドを生成する。
【０１４７】
さらに、主制御装置１３による処理において、ランプ管理制御又は賞球払出制御等からなる処理情報を生成するのに応じて、前記可動片駆動装置が、前記演出用移動物駆動装置に設けられたソレノイド等の駆動部に対して所定電圧（例えば、１２Ｖ）を印加し、適宜な変動状態となる演出動作を所定時間行うコマンドを生成する。
【０１４８】
『案内部材駆動装置の動作』
主制御装置１３による処理において、普通図柄制御用の通常遊技状態における小当たり移行指示番号を生成するのに応じて、前記案内部材駆動装置６５は、張設状態の前記案内部材６１を所定時間（例えば、１．０秒）弛緩状態に設定し、その後再び張設状態に復帰するように、前記ソレノイド６９の駆動部に対して所定電圧（例えば、１２Ｖ）を印加する弛緩状態移行処理を所定回数（例えば、１回）行うよう指示するためのコマンドを生成する。
【０１４９】
また、主制御装置１３による処理において、普通図柄制御用の遊技者にとって有利な遊技状態における小当たり移行指示指示番号を生成した場合には、前記案内部材駆動装置６５は、張設状態の前記案内部材６１を１．０秒から２．０秒へ長く弛緩状態に設定して再び張設状態へ戻るように、前記ソレノイド６９の駆動部に対して所定電圧を送電し、また、弛緩状態移行処理を例えば１回から２回へと多くして行う指示をするコマンドを生成する。
【０１５０】
『可動扉駆動装置の動作』
主制御装置１３による処理において、特別図柄制御用の通常遊技状態における大当たり移行指示番号を生成するのに応じて、前記可動扉駆動装置は、前記可動扉駆動装置に設けられたソレノイド等の駆動部に対して所定電圧を送信する。そして、前記可動扉駆動装置は、前記特別入賞口３に対して閉口させていた可動扉４５を作動させて開口状態とし、開口となってから所定時間（例えば、３０秒）経過するか、又は該特別入賞口３に対して所定個数（例えば、１０個）の遊技球を入賞させるかのいずれかの条件を満たしたら、再び閉口状態とする実行処理を行う指示をするコマンドを生成する。
【０１５１】
さらに、前記開口状態中に入賞させた遊技球のいずれかが特別入賞口３内に設けられた入賞特定領域を通過して、入賞特定領域検知センサ４７ｃにて検知されたことを条件として、前記可動扉駆動装置は、可動扉４５を再び閉口状態となるようにし、前記と同様の条件成立時に可動扉４５を開閉することを所定上限回数が達成されるまで繰り返すように、ソレノイド等の駆動部に対して所定電圧を印加指示するコマンドを生成する。
【０１５２】
なお、前記可動扉駆動装置における開閉処理の実行中に、特別図柄制御用の遊技者にとって有利な遊技状態における大当たり移行指示番号が生成された場合には、該開閉処理が終了するまで、大当たり移行指示番号の生成に基づく制御処理は行われずに保留状態とする。
【０１５３】
『入賞領域振分駆動装置の動作』
主制御装置１３による処理において、前記特別入賞口３を開口状態とするコマンドを生成するのに応じて、入賞領域振分駆動装置は、前記特別入賞口３内にある入賞領域振分物に設けられたソレノイド等の駆動物に対して所定電圧（例えば、１２Ｖ）を印加し、特定入賞領域振分のシーソー運動となるように該開口状態中において可動させるコマンドを生成する。
【０１５４】
本実施形態によれば、遊技領域３１に織布又は不織布によって構成された案内部材６１を設け、遊技球を案内するための素材として一般的に使用されていない織布又は不織布によって遊技球が案内されるので、今までにない斬新な挙動を遊技球に与えることができる。
【０１５５】
また、案内部材６１を張設状態に設定した場合と弛緩状態に設定した場合とでは、案内面６４上を転動する遊技球の速度の減速の度合いが自ずと相違し、弛緩状態では、張設状態よりも遊技球が効果的に減速される。すなわち、可変表示装置３４の側方から始動入賞口２までの距離が増大した場合であっても、始動入賞口２へ誘導される遊技球の減速の度合いを変更することによって始動入賞口２への遊技球の入賞の頻度を適宜増減させることができ、遊技性の多様化を図ることができる。
【０１５６】
特に、本実施形態では、張設状態よりも弛緩状態の方が始動入賞口２へ遊技球が誘導され易く設定されており、且つ通常の遊技状態では案内部材６１が張設状態に設定され、普通図柄当選状態において、可動片４４の開閉に加えて案内部材６１が弛緩状態に移行するので、普通図柄当選状態で遊技球が始動入賞口２に一段と入賞し易くなる。なお、本実施形態では、普通図柄当選状態が生起されたときに案内部材６１を張設状態から弛緩状態へ移行させているが、これに代えて又は加えて、他の契機によって案内部材６１の状態を変更させてもよい。また、張設状態よりも弛緩状態の方が始動入賞口２へ遊技球が誘導され易いように設定しているが、反対に、弛緩状態よりも緊張状態の方が始動入賞口２へ遊技球が誘導され易いように設定してもよく、この場合には、普通図柄当選状態で案内部材６１を弛緩状態から張設状態へ移行させればよい。
【０１５７】
また、案内部材６１の両端を固定釘６２と可動釘６３とによって支持し、固定釘６２を遊技盤７に固定し、可動釘６３のみを移動させることによって案内部材６１を張設状態と弛緩状態とに選択的に設定することができるので、構造及び制御の簡素化を図ることができる。
【０１５８】
なお、本実施形態の始動入賞口２は可動片４４を備えるが、可動片４４を備えていない始動入賞口に対して前記球流下誘導装置６０を設けてもよい。
【０１５９】
また、始動入賞口２以外の特別入賞口３やその他入賞口３７の側方に前記球流下誘導装置６０を設けてもよい。
【０１６０】
［第２実施形態］
次に、本発明の第２実施形態を、図８に基づいて説明する。本実施形態は、第１実施形態の案内部材６１に落下孔８０を設けた点を除き、第１実施形態と共通する。このため、第１実施形態と同様の構成及び処理については、同一の符号を付してその説明を省略する。
【０１６１】
案内部材６１には、案内面６４上から遊技球が挿通して落下することを許容する落下孔８０が１つ又は複数（本実施形態では２つ）形成されている。
【０１６２】
本実施形態によれば、張設状態と弛緩状態とに設定可能な案内部材６１を設けて始動入賞口２へ誘導される遊技球の減速の度合いを変更することに加え、落下孔８０からの遊技球の落下の有無によっても始動入賞口２への遊技球の入賞の頻度を相違させることができるので、遊技性をさらに多様化させることができる。
【０１６３】
［第３実施形態］
次に、本発明の第３実施形態を、図９に基づいて説明する。本実施形態は、第１実施形態の織布又は不織布の案内部材６１に代えて他の案内部材８１を用いている点を除き、第１実施形態と共通する。このため、第１実施形態と同様の構成及び処理については、同一の符号を付してその説明を省略する。
【０１６４】
案内部材８１は、一列に並ぶ複数の硬質樹脂製の板状部材８２と、板状部材８２の隣接する端部同士を回転自在に連結する連結軸８３とを備え、板状部材８２の上面が案内面６４を構成する。
【０１６５】
本実施形態によれば、案内部材８１を複数の硬質な板状部材８２によって構成しているので、張設状態（図中二点差線で示す）と弛緩状態（図中実線で示す）との繰り返しに伴って案内部材８１が使用開始時の初期長さから伸張することを抑えることができる。従って、繰り返し回数の多少によらず一定の張設状態及び弛緩状態を得ることができる。なお、案内部材８１（板状部材８２）の上面に、落下する遊技球の衝撃を吸収する軟質のシート材を貼着してもよい。また、上記第２実施形態のように、案内部材８１に落下孔を形成してもよい。
【０１６６】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【図面の簡単な説明】
【０１６７】
【図１】本発明の第１実施形態を示す遊技機の外観斜視図である。
【図２】図１に示す遊技機の背面斜視図である。
【図３】図１に示す遊技機の前面斜視図ある。
【図４】図１に示す遊技機の背面図である。
【図５】図１に示す遊技機の分解斜視図である。
【図６】図１に示す遊技機の電気的構成を示すブロック図である。
【図７】図３に示す遊技領域の要部拡大斜視図である。
【図８】本発明の第２実施形態を示す遊技機の遊技領域の要部拡大斜視図である。
【図９】本発明の第３実施形態を示す遊技機の遊技領域の要部拡大斜視図である。
【符号の説明】
【０１６８】
２…始動入賞口、７…遊技盤、１３…主制御装置（遊技状態生起手段）、１３ａ…ＣＰＵ、１３ｂ…ＲＯＭ、１３ｃ…ＲＡＭ、１４…副制御装置、１７…可動物駆動装置（遊技状態生起手段）、３１…遊技領域、３４…可変表示装置、４４…可動片、４５…可動扉、４６…所定通過口、４７ａ…所定入賞球検知センサ、４７ｄ…通過球検知センサ、６０…球流下誘導装置、６１…案内部材、６２…固定釘（一方の支持部材）、６３…可動釘（他方の支持部材）、６４…案内面、６５…案内部材駆動装置（駆動手段）、６９…ソレノイド、８０…落下孔、８１…案内部材、８２…板状部材
【図１】
2008200290.tif 000003
【図２】
2008200290.tif 000004
【図３】
2008200290.tif 000005
【図４】
2008200290.tif 000006
【図５】
2008200290.tif 000007
【図６】
2008200290.tif 000008
【図７】
2008200290.tif 000009
【図８】
2008200290.tif 000010
【図９】
2008200290.tif 000011